(57)【要約】【課題】接続された回路等が内圧を有するものであっても、その内圧がシリンジの外筒本体内に伝達されず、回路内の液体の逆流、回路内の内圧のガスケットへの付与を阻止し、回路内の液体の漏出を防止できるシリンジ用外筒を提供する。【解決手段】シリンジ用外筒１は、開口２５を有する先端部２２を備える外筒本体２と、外筒本体２の先端部２２の外面に固定されたノズル部材４と、逆止弁６とを備える。ノズル部材４は、先端に液体排出のための開口部４２を備える。シリンジ用外筒１は、外筒本体２の開口２５とノズル部材４の開口部４２を連通する流路１５を備え、逆止弁６は、流路１５内に配置されている。逆止弁６は、外筒本体２の開口２側からノズル部材４の開口部４２側への液体の流動を許容し、ノズル部材４の開口部４２側から外筒本体２の開口２５側への液体の流動を遮断するものとなっている。【選択図】図５
2019170751.tif 000002
【特許請求の範囲】
【請求項１】
シリンジ用外筒であって、
前記シリンジ用外筒は、開口を有する先端部を備える外筒本体と、前記外筒本体の前記先端部の外面に固定されたノズル部材と、逆止弁とを備え、
前記ノズル部材は、先端に液体排出のための開口部を備え、
前記シリンジ用外筒は、前記外筒本体の前記開口と前記ノズル部材の前記開口部を連通する流路を備え、前記逆止弁は、前記流路内に配置されており、かつ、前記逆止弁は、前記外筒本体の前記開口側から前記ノズル部材の開口部側への液体の流動を許容し、前記ノズル部材の前記開口部側から前記外筒本体の前記開口側への液体の流動を遮断するものとなっていることを特徴とするシリンジ用外筒。
【請求項２】
前記逆止弁は、前記外筒本体の前記先端部の外面と前記ノズル部材の内面間により形成される空間内に収納されている請求項１に記載のシリンジ用外筒。
【請求項３】
前記外筒本体の前記先端部は、先端面に形成された逆止弁載置部と、前記ノズル部材の後端部を収納可能な環状突出部とを備え、前記ノズル部材の後端部は、前記外筒本体の前記環状突出部内に進入し、前記外筒本体の先端面と当接し、かつ、前記ノズル部材の後端部と前記外筒本体の先端面との当接部にて、固着されている請求項１または２に記載のシリンジ用外筒。
【請求項４】
前記逆止弁は、環状フランジ部と、前記環状フランジ部より、先端方向に延びる弁本体部と、前記弁本体部の頂点部に形成された開口用のスリットを備えている請求項１ないし３のいずれかに記載のシリンジ用外筒。
【請求項５】
前記弁本体部は、前記弁本体部の中心軸に直交する方向に所定長延びる弁口部を備え、前記スリットは、前記弁口部内にて、前記弁本体部の中心軸に直交する方向に所定長延びている請求項４に記載のシリンジ用外筒。
【請求項６】
前記環状フランジ部の周縁部は、前記ノズル部材の前記後端部と前記外筒本体の前記逆止弁載置部により圧縮され、液密状態となっている請求項４または５に記載のシリンジ用外筒。
【請求項７】
前記逆止弁は、通常時閉鎖型である請求項１ないし６のいずれかに記載のシリンジ用外筒。
【請求項８】
前記ノズル部材は、ノズル部と、前記ノズル部と前記後端部との間に形成された連結部を備え、前記逆止弁は、前記連結部内に形成された空間内に収納されている請求項１ないし７のいずれかに記載のシリンジ用外筒。
【請求項９】
前記ノズル部材は、前記ノズル部を被包するカラー部を備え、前記カラー部は、内面に螺合部を備え、医療用コネクタに、前記螺合部を用いて装着可能となっている請求項１ないし８のいずれかに記載のシリンジ用外筒。
【請求項１０】
請求項１ないし９のいずれかに記載のシリンジ用外筒と、前記シリンジ用外筒内に摺動可能に収納されたガスケットとからなることを特徴とするシリンジ。
【請求項１１】
請求項１ないし９のいずれかに記載のシリンジ用外筒と、前記シリンジ用外筒内に摺動可能に収納されたガスケットと、前記シリンジ用外筒の前記ノズル部材に装着されたシールキャップと、前記シリンジ用外筒内に収納された医療用液体とからなることを特徴とするプレフィルドシリンジ。
【発明の詳細な説明】
【技術分野】
【０００１】
本発明は、逆流阻止機能を備えるシリンジ用外筒、それを用いたシリンジおよびプレフィルドシリンジに関する。
【背景技術】
【０００２】
体外血液回路、薬液投与ラインは、途中にシリンジが装着可能なコネクタを備えているのが一般的である。そして、コネクタに装着した液体注入具を用いて、回路またはラインへの生体投与用の液体（例えば、薬液）の注入が行われる。液体注入には、一般的なシリンジが用いられる。なお、シリンジが接続されるコネクタとしては、ニードルレスコネクタと呼ばれ、シリンジを装着前では閉塞し、シリンジに装着することにより、開通するバルブを備えるものが用いられている。
【発明の概要】
【発明が解決しようとする課題】
【０００３】
液体注入にあたり、回路等のニードルレスコネクタに、液体が充填されたシリンジのノズル部を挿入して、シリンジを回路等の内部と連通させる。回路内は、内圧（例えば、動脈圧）を有する場合があり、シリンジを取り付けたまま放置すると、内圧により血液がシリンジ内に逆流する場合があり、逆流した血液により、ガスケットが押されることにより、シリンジからガスケットが離脱し、血液が漏れる危険性がある。また、シリンジを用いた液体の注入後において、ガスケットを押圧するプランジャより手を放した場合にも、上記と同様に、血液逆流が生じ、シリンジからガスケットが離脱し、血液が漏れる危険性がある。
【０００４】
本発明の目的は、接続された回路等が内圧を有するものであっても、その内圧がシリンジの外筒本体内に伝達されず、回路内の液体の逆流、回路内の内圧のガスケットへの付与を阻止し、回路内の液体の漏出を防止できるシリンジ用外筒、それを用いたシリンジおよびプレフィルドシリンジを提供する。
【課題を解決するための手段】
【０００５】
上記目的を達成するものは、以下のものである。
（１）シリンジ用外筒であって、
前記シリンジ用外筒は、開口を有する先端部を備える外筒本体と、前記外筒本体の前記先端部の外面に固定されたノズル部材と、逆止弁とを備え、
前記ノズル部材は、先端に液体排出のための開口部を備え、
前記シリンジ用外筒は、前記外筒本体の前記開口と前記ノズル部材の前記開口部を連通する流路を備え、前記逆止弁は、前記流路内に配置されており、かつ、前記逆止弁は、前記外筒本体の前記開口側から前記ノズル部材の開口部側への液体の流動を許容し、前記ノズル部材の前記開口部側から前記外筒本体の前記開口側への液体の流動を遮断するものとなっているシリンジ用外筒。
【０００６】
（２）前記逆止弁は、前記外筒本体の前記先端部の外面と前記ノズル部材の内面間により形成される空間内に収納されている上記（１）に記載のシリンジ用外筒。
（３）前記外筒本体の前記先端部は、先端面に形成された逆止弁載置部と、前記ノズル部材の後端部を収納可能な環状突出部とを備え、前記ノズル部材の後端部は、前記外筒本体の前記環状突出部内に進入し、前記外筒本体の先端面と当接し、かつ、前記ノズル部材の後端部と前記外筒本体の先端面との当接部にて、固着されている上記（１）または（２）に記載のシリンジ用外筒。
（４）前記逆止弁は、環状フランジ部と、前記環状フランジ部より、先端方向に延びる弁本体部と、前記弁本体部の頂点部に形成された開口用のスリットを備えている上記（１）ないし（３）のいずれかに記載のシリンジ用外筒。
（５）前記弁本体部は、前記弁本体部の中心軸に直交する方向に所定長延びる弁口部を備え、前記スリットは、前記弁口部内にて、前記弁本体部の中心軸に直交する方向に所定長延びている上記（４）に記載のシリンジ用外筒。
（６）前記環状フランジ部の周縁部は、前記ノズル部材の前記後端部と前記外筒本体の前記逆止弁載置部により圧縮され、液密状態となっている上記（４）または（５）に記載のシリンジ用外筒。
（７）前記逆止弁は、通常時閉鎖型である上記（１）ないし（６）のいずれかに記載のシリンジ用外筒。
（８）前記ノズル部材は、ノズル部と、前記ノズル部と前記後端部との間に形成された連結部を備え、前記逆止弁は、前記連結部内に形成された空間内に収納されている上記（１）ないし（７）のいずれかに記載のシリンジ用外筒。
（９）前記ノズル部材は、前記ノズル部を被包するカラー部を備え、前記カラー部は、内面に螺合部を備え、医療用コネクタに、前記螺合部を用いて装着可能となっている上記（１）ないし（８）のいずれかに記載のシリンジ用外筒。
【０００７】
また、上記目的を達成するものは、以下のものである。
（１０）上記（１）ないし（９）のいずれかに記載のシリンジ用外筒と、前記シリンジ用外筒内に摺動可能に収納されたガスケットとからなるシリンジ。
また、上記目的を達成するものは、以下のものである。
（１１）上記（１）ないし（９）のいずれかに記載のシリンジ用外筒と、前記シリンジ用外筒内に摺動可能に収納されたガスケットと、前記シリンジ用外筒の前記ノズル部材に装着されたシールキャップと、前記シリンジ用外筒内に収納された医療用液体とからなるプレフィルドシリンジ。
【発明の効果】
【０００８】
本発明のシリンジ用外筒は、開口を有する先端部を備える外筒本体と、外筒本体の先端部の外面に固定されたノズル部材と、逆止弁とを備える。ノズル部材は、先端に液体排出のための開口部を備え、シリンジ用外筒は、外筒本体の開口とノズル部材の開口部を連通する流路を備え、逆止弁は、流路内に配置されており、かつ、逆止弁は、外筒本体の開口側からノズル部材の開口部側への液体の流動を許容し、ノズル部材の開口部側から外筒本体の前記開口側への液体の流動を遮断するものとなっている。
このシリンジ用外筒は、上記の逆止弁が、外筒本体の開口とノズル部材の開口部を連通する流路内に配置されているので、ノズル部材の開口部側の圧力が、外筒本体の開口側の圧力より高い状態および圧力変化により高い状態となった場合において、逆止弁が閉塞し、外筒本体内に圧力が伝達されない。このため、上記の圧力に起因するガスケットの後退および離脱を防止し、また、ノズル部材側から外筒本体側への液体の流入、いわゆる逆流を防止する。
【図面の簡単な説明】
【０００９】
【図１】図１は、本発明のシリンジ用外筒を用いたプレフィルドシリンジの正面図である。
【図２】図２は、図１のＡ−Ａ線断面図である。
【図３】図３は、図１に示したプレフィルドシリンジの縦断面図である。
【図４】図４は、図１に示したプレフィルドシリンジの底面図である。
【図５】図５は、図２に示したプレフィルドシリンジの逆止弁付近の拡大図である。
【図６】図６は、図１に示したプレフィルドシリンジに使用されている逆止弁の拡大正面図である。
【図７】図７は、図６に示した逆止弁の右側面図である。
【図８】図８は、図６に示した逆止弁の平面図である。
【図９】図９は、図６に示した逆止弁の底面図である。
【図１０】図１０は、図６のＢ−Ｂ線断面図である。
【図１１】図１１は、図７のＣ−Ｃ線断面図である。
【図１２】図１２は、図７のＤ−Ｄ線断面図である。
【図１３】図１３は、本発明のプレフィルドシリンジの作用を説明するための説明図である。
【図１４】図１４は、本発明のプレフィルドシリンジの作用を説明するための説明図である。
【図１５】図１５は、本発明のプレフィルドシリンジの作用を説明するための説明図である。
【発明を実施するための形態】
【００１０】
本発明のシリンジ用外筒、それを用いたシリンジおよびプレフィルドシリンジを図面に示す実施例を用いて説明する。
本発明のシリンジは、本発明のシリンジ用外筒１と、シリンジ用外筒１内に摺動可能に収納されたガスケット７とからなる。
また、本発明のプレフィルドシリンジ１０は、本発明のシリンジ用外筒１と、シリンジ用外筒１内に摺動可能に収納されたガスケット７と、シリンジ用外筒１のノズル部材４に装着されたシールキャップ３と、シリンジ用外筒１内に収納された医療用液体９とからなる。
【００１１】
そして、本発明のシリンジ用外筒１は、開口２５を有する先端部２２を備える外筒本体２と、外筒本体２の先端部２２の外面に固定されたノズル部材４と、逆止弁６とを備える。ノズル部材４は、先端に液体排出のための開口部４２を備える。シリンジ用外筒１は、外筒本体２の開口２５とノズル部材４の開口部４２を連通する流路１５（内部流路）を備え、逆止弁６は、流路１５内に配置されている。逆止弁６は、流路１５における外筒本体２の開口２５側からノズル部材４の開口部４２側への液体の流動を許容し、ノズル部材４の開口部４２側から外筒本体２の開口２５側への液体の流動を遮断するものとなっている。
【００１２】
この実施例のシリンジ用外筒１は、図１ないし図５に示すように、外筒本体２と、外筒本体２の先端に固定されたノズル部材４と、内部に収納された逆止弁６とを備える。また、シリンジ用外筒１は、外筒本体２の開口２５とノズル部材４の開口部４２を連通する内部流路１５を備えている。また、プレフィルドシリンジ１０は、シリンジ用外筒１内に摺動可能に収納されたガスケット７と、シリンジ用外筒１のノズル部材４に装着されたシールキャップ３と、シリンジ用外筒１内に収納された医療用液体９と、ガスケット７に装着されたプランジャ５を備えている。
【００１３】
外筒本体２は、図１ないし図３および図５に示すように、筒状部２１と、筒状部２１の先端に位置し、開口２５を備える先端部２２と、筒状部２１の後端に設けられたフランジ２３を備える。さらに、先端部２２は、逆止弁載置部２６と、ノズル部材４の後端部を収納可能な環状突出部２４とを備えている。
【００１４】
筒状部２１は、ほぼ同一内径、同一外径にて延びる円筒部となっている。先端部２２は、筒状部２１の先端に形成された先端壁部である。そして、先端部２２には、その中心に、開口２５が形成されている。さらに、開口２５の周縁部である先端部２２の外面に、逆止弁載置部２６が形成されている。この実施例では、逆止弁載置部２６は、平坦面となっている。さらに、逆止弁載置部２６の側方に、環状突出部２４が設けられている。環状突出部２４は、先端方向に延びる短い筒状突出部となっている。
【００１５】
そして、シリンジ用外筒１は、外筒本体２の開口２５とノズル部材４の開口部４２を連通する内部流路１５を備え、逆止弁６は、この内部流路１５内に配置されている。このため、外筒本体２の開口２５とノズル部材４の開口部４２を連通する流路１５は、逆止弁６により、外筒本体２の開口側流路（下流側流路部）とノズル部材４の開口部側流路（上流側流路）とに区分されている。
【００１６】
また、この実施例では、逆止弁６は、外筒本体２の先端部２２の外面とノズル部材４の内面間により形成される空間内に収納されている。図示する実施例では、シリンジ用外筒１の内部（流路の一部）である逆止弁載置部２６と環状突出部２４間に、ノズル部材４の後端部の収納部が形成されており、この収納部に逆止弁６の後端部が収納されている。さらに、この実施例では、ノズル部材４の後端部の収納部の後端面（下面）は、逆止弁載置部２６より、後端側に位置しており、このため、逆止弁載置部２６の側部は、環状凹部となっている。この環状凹部に、後述する、ノズル部材４の後端部が収納される。フランジ２３は、筒状部２１の後端より外方に延びるものとなっている。
【００１７】
ノズル部材４は、図１ないし図３および図５に示すように、開口部４２を有するノズル部４１と、後端部４４と、ノズル部４１と後端部４４間に設けられた逆止弁収納部とを備える。図示する実施例では、ノズル部４１は、先端に向かってテーパー状に縮径するように形成されている。ノズル部４１は、血液回路、薬液投与ラインに設けられているコネクタ（例えば、ニードルレスコネクタ）に装着可能なものとなっている。ノズル部４１の後端と後端部４４間には、連結部４６が設けられている。
【００１８】
そして、この実施例では、後端部４４と連結部４６の内部に、逆止弁収納部が形成されている。連結部４６は、ノズル部４１の後端より後方に延びる短い筒状部である。後端部４４は、連結部４６の後端より、後方に延びる短い筒状部である。また、後端部４４は、連結部４６より、内径および外径が、大径となっている。
【００１９】
そして、後端部４４は、外筒本体２の環状突出部２４内に進入し、その後端は、外筒本体２の先端部２２に形成された環状凹部の底面に当接している。そして、外筒本体２とノズル部材４は、ノズル部材４の後端部４４の後端面と外筒本体２の先端部２２の環状凹部の底面との当接部に形成された、固定部８により固着されている。固着部８は、レーザ溶着、高周波溶着、超音波溶着などにより、形成することができる。
【００２０】
また、ノズル部材４は、ノズル部４１を被包するカラー部４３を備え、カラー部４３は、内面に螺合部４５を備えている。カラー部４３の螺合部４５を用いて、本発明のシリンジ用外筒１は、使用時に、回路に設けられている医療用コネクタに、離脱することなく装着可能となっている。
【００２１】
カラー部４３は、ノズル部４１を取り囲むようにノズル部４１と同心的に円筒状に形成されている。また、カラー部４３は、先端が開口しており、カラー部４３の内径および外径は基端から先端までほぼ同一径となっている。また、カラー部４３の先端開口からはノズル部４１の先端部が突出している。そして、カラー部４２の内周面には、シールキャップ３のノズル部収納部３３に形成されたキャップ側螺合部３４と螺合するための螺合部４５が形成されている。
【００２２】
これにより、ノズル部材４とキャップ３はカラー部４３の内周面とノズル収納部外周面との間で螺合する。また、カラー部４３の螺合部４５は、血液回路、薬液投与ラインに設けられているコネクタ（例えば、ニードルレスコネクタ）側の螺合部と螺合可能であり、本発明のシリンジ用外筒１を回路に内圧により離脱しないように、コネクタに装着可能なものとなっている。この実施例では、螺合部４５は、螺旋状リブにより形成されている。
【００２３】
外筒本体２の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンポリマー、環状オレフィンコポリマーのような各種樹脂が挙げられるが、その中でも成形が容易で耐熱性があることから、ポリプロピレン、環状ポリオレフィンポリマー、環状オレフィンコポリマーのような樹脂が好ましい。なお、内部に充填された薬液を外側から目視にて確認できるように透明性が高く、高圧蒸気滅菌に耐えられる耐熱性を有する環状オレフィンポリマー、環状オレフィンコポリマーが、外筒本体２の形成材料として特に好ましい。
【００２４】
逆止弁６は、外筒本体２の開口２５とノズル部材４の開口部４２を連通する内部流路１５内、具体的には、外筒本体２とノズル部材４により形成される空間内に収納されている。逆止弁６は、筒状部２１の開口２５とノズル部材４の開口部４２間の流路１５を遮断するように設けられている。また、この実施例では、逆止弁６としては、通常時閉鎖型のものが用いられている。このため、外筒本体２側が、陽圧となった場合のみ、逆止弁６は、開口し、液体の通過を許容する。逆止弁６の前後が等圧の場合および、ノズル部材４の開口部４２側が高圧の場合には、逆止弁６は、開口しない。なお、図示する実施例では、逆止弁として、いわゆるダックビル弁が用いられている。
【００２５】
この実施例では、逆止弁６は、図５ないし図１２に示すように、環状フランジ部６２と、環状フランジ部６２より、先端方向に延びる弁本体部６１と、弁本体部６１の頂点部に形成された開口用のスリット６３を備えている。環状フランジ部６２は、所定に厚さを有するリング状部であり、上面および下面は、環状の平坦面となっている。そして、図５に示すように、逆止弁６の環状フランジ部６２の周縁部は、外筒本体２とノズル部材４により液密状態に保持されている。具体的には、逆止弁６の環状フランジ部６２の周縁部は、ノズル部材４の後端部の環状内面と、外筒本体２の逆止弁載置部２６より、圧縮され、液密状態となっている。このため、逆止弁６の環状フランジ部６２からの液体の漏出を防止している。
【００２６】
また、この実施例の逆止弁６は、先端部に形成された弁口部６５を備えている。この実施例では、図８に示すように、弁口部６５は、弁本体部の中心軸に直交する方向に所定長延びるものとなっている。そして、弁口部６５内に、スリット６３が設けられている。スリット６３は、弁本体部の中心軸に直交する方向に所定長延びており、かつ、弁口部よりも短いものとなっている。このため、弁口部６５の両側部は、スリット非存在部となっている。
【００２７】
そして、弁口部６５は、スリット６３の両側に形成された２つの側部６５ａ，６５ｂを備えており、この側部６５ａ，６５ｂが、図１３に示すように、外方に変形することにより、両者間に液体通過用開口６６が形成される。弁口部６５として、上述のように、弁本体部の直径とほぼ同じ長さを有し、かつ、スリット６３も十分な長さを有するため、容易に開口するとともに、図１３に示すように、開口時に十分の大きさの液体通過用開口６６が形成され、良好に液体を通過させることができる。
【００２８】
そして、この実施例における逆止弁６は、図６に示すように、正面視において略矩形状であり、図７に示すように、側面視において略三角形状である。また、弁本体部６１は、図５ないし図１２に示すように、弁口部６５の両側部６５ａ，６５ｂより、環状フランジ部まで延びる２つの弁側壁部を備えている。そして、弁側壁部は、側部６５ａより環状フランジ部付近まで延びる第１平板部６１ａと、側部６５ｂより環状フランジ部付近まで延びる第２平板部６１ｂと、第１平板部６１ａの一方の側部と第２平板部６１ｂの一方の側部を繋ぐ第１の湾曲壁部と６１ｃと、第１平板部６１ａの他方の側部と第２平板部６１ｂの他方の側部を繋ぐ第２の湾曲壁部と６１ｄとを有するものとなっている。逆止弁６は、内腔部６４を備えており、内腔部６４は、弁口部６５に向かって減少するものとなっている。
【００２９】
また、ノズル部材４の連結部４６の内面には、逆止弁６の第１平板部６１ａと向かい合う第１の傾斜面部と、第２平板部６１ｂと向かい合う第２の傾斜面部が形成されている。このため、液体通過時において、逆止弁６の第１平板部６１ａおよび第２平板部６１ｂの後端側部分は、連結部４６の第１の傾斜面部および第２の傾斜面部に当接するため、逆止弁の過剰変形が規制されている。
【００３０】
また、図５に示すように、この実施例では、逆止弁６の第１平板部６１ａと連結部４６の第１の傾斜面部間、および逆止弁６の第２平板部６１ｂと連結部４６の第２の傾斜面部間に、若干の空隙を持っている。このため、逆止弁６より前方側（ノズル部材４の開口部４２側）の圧力は、逆止弁６の第１平板部６１ａおよび第２平板部６１ｂの外面（先端側面）のほぼ全体に負荷されるものとなっている。このため、逆止弁６は、逆止弁６より前方側（ノズル部材４の開口部４２側）の圧力の上昇時に良好に反応する。
【００３１】
逆止弁６は、少なくとも弁本体部６１は、弾性変形可能なものとなっている。逆止弁６の形成材料としては、天然ゴム、イソプレンゴム、ブチルゴム、ブタジエンゴム、フッ素ゴム、シリコーンゴム等の合成ゴム、オレフィン系エラストマーやスチレン系エラストマー等の熱可塑性エラストマー等の弾性材料が好ましい。
【００３２】
キャップ３は、図１ないし図３に示すように、円筒状に形成されており、本体部３１と、本体部３１より、後方に延びるノズル部材４のノズル部４１を収納するノズル部収納部３３と、ノズル部収納部３３内に収納されたシール部材３２とを備える。この実施例では、本体部３１とノズル部収納部３３間には、壁部を備えており、この壁部のノズル部収納部３３側の面に当接するように、シール部材３２が配置されている。
【００３３】
そして、ノズル部収納部３３の外面には、ノズル部材４のカラー部４３の内面に形成された螺合部４５と螺合可能なキャップ側螺合部３４が設けられている。キャップ３がノズル部材４に装着された時、ノズル部４１の先端開口部４２は、シール部材３２によりシールされる。
【００３４】
シール部材３２の形成材料としては、天然ゴム、イソプレンゴム、ブチルゴム、ブタジエンゴム、フッ素ゴム、シリコーンゴム等の合成ゴム、オレフィン系エラストマーやスチレン系エラストマー等の熱可塑性エラストマー等の弾性材料が好ましい。
ノズル部材４およびキャップ３の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレートなどのポリエステル、環状ポリオレフィンのような各種樹脂が挙げられるが、その中でも成形が容易で耐熱性があることから、ポリプロピレン、環状ポリオレフィンのような樹脂が好ましい。
【００３５】
プレフィルドシリンジ１０は、上述したシリンジ用外筒１と、シリンジ用外筒１内に摺動可能に収納されたガスケット７と、シリンジ用外筒１のノズル部材４に装着されたシールキャップ３と、シリンジ用外筒１内に収納された医療用液体９を備える。
【００３６】
ガスケット７としては、公知のものが使用される。図示するガスケット７は、筒状本体部７１と、閉塞先端部７２と、筒状本体部７１の外面に形成された先端側リブ７４と、後端側リブ７５と、内面に形成された内腔部７３を備えている。このガスケットは、内腔部７３の内面に螺合用リブを備えている。
【００３７】
プランジャ５としては、公知のものが使用される。図示するプランジャ５は、ガスケット７の基端面を押圧可能なフランジ部を先端側に有する本体部５１と、本体部５１より、前方に突出し、ガスケット７の内腔部７３内に進入可能な先端部５２とを有する。本体部５１の基端には、プランジャ押圧部５３が設けられている。先端部５２は、小径筒状部であり、ガスケット７の内腔部７３の内面に設けられた螺合用リブと螺合可能な螺合用リブを備えている。
医療用液体９としても公知のものを用いることができる。医療用液体９としては、具体的には、薬液、フラッシュ液、造影剤などが用いられる。
【００３８】
次に、本発明のシリンジ用外筒を用いたプレフィルドシリンジの作用を図５、図１３ないし図１５を用いて説明する。
図示する実施例のシリンジ用外筒１（プレフィルドシリンジ１０）では、逆止弁６としては、通常時閉鎖型のものが用いられている。このため、通常状態、言い換えれば、図５に示すような、逆止弁６の前後が等圧の場合には、逆止弁６は、図８に示すように、閉塞している。そして、図１４に示すように、プランジャを押圧し、ガスケット７を先端方向に押圧すると、外筒本体２内の内圧が、逆止弁６より前方側（ノズル部材４の開口部４２側）の内圧より高くなり、逆止弁６は、図１３および図１４に示すように、開口し、液体通過用開口６６より、液体が逆止弁６を通過し、前方側（ノズル部材４の開口部４２側）へと内部流路１５内を流れる。
【００３９】
そして、プランジャの押圧を停止し、外筒本体２内の内圧が、逆止弁６より前方側（ノズル部材４の開口部４２側）の内圧と等圧になると、図５および図８に示すように、逆止弁６は、閉塞状態となる。また、逆止弁６より前方側（ノズル部材４の開口部４２側）である回路側が、常時ある程度の内圧を有する場合がある。このようなケースは、逆止弁６より前方側が、血液回路に接続されている場合が考えられる。特に、血液回路が、動脈に接続される場合には、動脈圧を受けることになる。このような場合、液体注入、言い換えれば、プランジャの押圧は、逆止弁６より前方側の内圧に打ち勝つように行うことが必要である。
【００４０】
そして、通常では、プランジャから手を放すと、ガスケット７に逆止弁６より前方側の内圧が急激に負荷されることになり、これにより、ガスケット７が外筒より離脱する可能性がある。しかし、図１５に示すように、本発明のシリンジ用外筒１（プレフィルドシリンジ１０）では、外筒本体２より前方に位置する逆止弁６が先に逆止弁６より前方側の内圧の負荷を受け閉塞するため、外筒本体内に逆止弁６より前方側の内圧が伝達することがなく、ガスケット７に圧力が負荷されることもない。また、内部流路１５内を液体が流れることもない。
【符号の説明】
【００４１】
１  シリンジ用外筒
２  外筒本体
３  シールキャップ
４  ノズル部材
５  プランジャ
６  逆止弁
７  ガスケット
２５  開口
４２  開口部
【図１】
2019170751.tif 000003
【図２】
2019170751.tif 000004
【図３】
2019170751.tif 000005
【図４】
2019170751.tif 000006
【図５】
2019170751.tif 000007
【図６】
2019170751.tif 000008
【図７】
2019170751.tif 000009
【図８】
2019170751.tif 000010
【図９】
2019170751.tif 000011
【図１０】
2019170751.tif 000012
【図１１】
2019170751.tif 000013
【図１２】
2019170751.tif 000014
【図１３】
2019170751.tif 000015
【図１４】
2019170751.tif 000016
【図１５】
2019170751.tif 000017